(57)【特許請求の範囲】
【請求項１】
筐体の内部に回転自在に配置された磁気ディスクを有する磁気ディスクカートリッジであって、
前記磁気ディスクに取り付けられた磁石を備え、この磁石は、前記筐体の外部に配置されるコイルと共にスピンドルモータを構成可能であり、
前記磁気ディスクは片方の面の中心に回転軸となるボス部を有し、該ボス部は前記筐体内部に位置付けられて、該筐体の内側面に固定されたベアリングによって支持されることを特徴とする磁気ディスクカートリッジ。
【請求項２】
前記磁気ディスクに対する情報の読取／書込を行う磁気ヘッドと、
前記磁気ヘッドを支持するヘッドアームと、
前記ヘッドアームに取り付けられたボイスコイルと、
前記ボイスコイルの一方の側に位置するように配置された第１の磁極および第１のヨークとを更に備え、
前記ボイスコイル、前記第１の磁極および前記第１のヨークは、前記筐体の外部に前記ボイスコイルの他方の側に位置するように配置される第２の磁極および第２のヨークと共にボイスコイルモータを構成可能であることを特徴とする請求項１に記載の磁気ディスクカートリッジ。
【請求項３】
前記磁気ディスク、前記磁気ヘッド、前記ヘッドアーム、前記ボイスコイル、前記第１の磁極および前記第１のヨークは、前記筐体の内部に実質的に密閉されていることを特徴とする請求項２に記載の磁気ディスクカートリッジ。
【請求項４】
前記筐体には、前記磁気ヘッドに対する読取信号および書込信号、ならびに、前記ボイスコイルに対する電流制御信号を伝送するための複数の端子が備えられていることを特徴とする請求項３に記載の磁気ディスクカートリッジ。
【請求項５】
前記磁気ディスクは、一方の面の全体に磁気記録層を有する一方、その他方の面の中心に回転軸となる前記ボス部を有すると共に前記他方の面に前記磁石が固定されていることを特徴とする請求項１〜４の何れか一項に記載の磁気ディスクカートリッジ。
【請求項６】
請求項２〜５の何れか一項に記載の磁気ディスクカートリッジの装着部であって、
前記磁気ディスクカートリッジの前記磁気ディスクに取り付けられている前記磁石と対応するように配置されたコイルと、
前記磁気ディスクカートリッジの前記ヘッドアームに取り付けられている前記ボイスコイルと対応するように配置された第２磁極および第２ヨークとを備えることを特徴とする装着部。
【請求項７】
請求項６に記載の装着部であって、前記磁気ディスクカートリッジに設けられている前記磁気ヘッドに対する読取／書込制御を行うと共に、前記コイルおよび前記磁気ディスクカートリッジ側の前記ボイスコイルに対する電流制御を行う制御手段を更に備えることを特徴とする装着部。
【請求項８】
筐体の内部に回転自在に配置された磁気ディスクを有する磁気ディスクカートリッジと、この磁気ディスクカートリッジを装着することができる装着部とを含む磁気ディスク装置であって、
前記磁気ディスクカートリッジの前記磁気ディスクには、磁石が取り付けられる一方、前記装着部には、前記磁気ディスクカートリッジ側の前記磁石と対応するようにコイルが配置されており、
前記磁気ディスクカートリッジが前記装着部に装着された際に、前記磁気ディスクカートリッジ側の前記磁石、および、前記装着部のコイルは、スピンドルモータを構成し、
前記磁気ディスクは片方の面の中心に回転軸となるボス部を有し、該ボス部は前記筐体内部に位置付けられて、該筐体の内側面に固定されたベアリングによって支持されることを特徴とする磁気ディスク装置。
【請求項９】
前記磁気ディスクカートリッジには、
前記磁気ディスクに対する情報の読取／書込を行う磁気ヘッドと、
前記磁気ヘッドを支持するヘッドアームと、
前記ヘッドアームに取り付けられたボイスコイルと、
前記ボイスコイルの一方の側に位置するように配置された第１の磁極および第１のヨークとが更に備えられる一方、
前記装着部には、第２の磁極および第２のヨークが更に備えられており、
前記磁気ディスクカートリッジが前記装着部に装着された際に、前記磁気ディスクカートリッジ側の前記第１の磁極、前記第１のヨーク、および、前記ボイスコイル、ならびに、前記装着部側の前記第２の磁極および前記第２のヨークは、ボイスコイルモータを構成することを特徴とする請求項８に記載の磁気ディスク装置。
【請求項１０】
前記磁気ディスクカートリッジを構成する前記磁気ディスク、前記磁気ヘッド、前記ヘッドアーム、前記ボイスコイル、前記第１の磁極および前記第１のヨークは、前記筐体の内部に実質的に密閉されていることを特徴とする請求項９に記載の磁気ディスク装置。
【請求項１１】
前記磁気ディスクカートリッジの前記筐体には、前記磁気ヘッドに対する読取信号および書込信号、ならびに、前記ボイスコイルに対する電流制御信号を伝送するための複数の端子が備えられており、前記装着部には、前記磁気ディスクカートリッジの複数の端子と電気的に接続可能な複数の端子が備えられていることを特徴とする請求項１０に記載の磁気ディスク装置。
【請求項１２】
前記磁気ディスクカートリッジの前記磁気ディスクは、一方の面の全体に磁気記録層を有する一方、その他方の面の中心に回転軸となる前記ボス部を有すると共に前記他方の面に前記磁石が固定されていることを特徴とする請求項８〜１１の何れか一項に記載の磁気ディスク装置。
【発明の詳細な説明】
【０００１】
【発明の属する技術分野】
本発明は、磁気ディスクカートリッジ、その装着部、および、磁気ディスク装置に関し、特に、各種情報を記録可能な磁気ディスクを有すると共に各種装置に対して着脱自在な磁気ディスクカートリッジ、その装着部、および、このような磁気ディスクカートリッジを含む磁気ディスク装置に関する。
【０００２】
【従来の技術】
従来から、この種の分野の技術として、特開平８−３０６１７８号公報によって開示されたものが知られている。この公報に記載された従来の磁気ディスクカートリッジは、いわゆるリムーバブル型ハードディスクとして用いることができるものである。この磁気ディスクカートリッジは、上下に重ね合わされた２つのケースを有する。上側のケースには、磁気ディスクが回転自在に配置されると共に、磁気ヘッドを支持するヘッドアームが回動自在に配置されている。磁気ディスクの支持柱およびヘッドアームの支持柱は、それぞれ上下ケース間の仕切り壁を貫通し、下側のケース内に達している。そして、下側のケース内において、各支持柱には、磁性円板が固定されている。また、下側ケースの下面には、各磁性円板を露出させるためのシャッタが設けられている。
【０００３】
このように構成された磁気ディスクカートリッジを装着させるドライブ側には、磁気ディスク用の磁性円板および磁気ヘッド用の磁性円板とそれぞれと対応するように、スピンドルモータおよびボイスコイルモータが配置される。スピンドルモータおよびボイスコイルモータのそれぞれの出力軸にも磁性円板が固定されている。磁気ディスクカートリッジがドライブ側に装着されると、磁気ディスクカートリッジのシャッタが開放され、磁気ディスク用の磁性円板とスピンドルモータの磁性円板とが、また、磁気ヘッド用の磁性円板とボイスコイルモータの磁性円板とが、それぞれ磁気的に結合する。その後、スピンドルモータとボイスコイルモータをそれぞれ作動させることにより、磁気ディスクに対する情報の読取／書込が可能となる。
【０００４】
【発明が解決しようとする課題】
しかしながら、上述したように構成された従来の磁気ディスクカートリッジには、次のような問題点が存在していた。すなわち、上記従来の磁気ディスクカートリッジは、上下２つのケース、すなわち、内部が２つの室に仕切られた筐体を有するものである。このため、カートリッジの構造が複雑となると共に、特にカートリッジ厚さを抑えることが困難となり、製造コストも嵩んでしまう。また、磁気ディスクカートリッジをドライブ側に装着して情報の読取／書込を行う際には、下側のケースのシャッタを開放させる必要がある。このため、従来の磁気ディスクカートリッジでは、開放されたシャッタから、磁気ヘッドの破損等の原因となる塵埃等がケース内に混入してしまうおそれが依然として存在している。
【０００５】
そこで、本発明は、シンプルかつコンパクトに低コストで構成可能であると共に、安定した性能を発揮し得る磁気ディスクカートリッジおよび磁気ディスク装置の提供を目的とする。
【０００６】
【課題を解決するための手段】
本発明の一形態は、筐体の内部に回転自在に配置された磁気ディスクを有しており、いわゆるリムーバブルハードディスクとして利用可能な磁気ディスクカートリッジに係るものである。本発明者らは、この種の磁気ディスクカートリッジの高性能化、コンパクト化および低コスト化を図るために、一体の磁気ディスク装置の構成部品のうち、何れをカートリッジ側に収容するかという観点のもと鋭意研究を行った。そして、検討に際して、まず、磁気ディスクを回転させるためのスピンドルモータに着目した。この種のスピンドルモータは、電磁気的に動作するものである。従って、スピンドルモータは、磁石とコイルとに磁気的に分割されても、他の磁性体による影響がなければ、何ら問題無く安定して作動する。このような点に鑑みて、本発明による磁気ディスクカートリッジでは、筐体内の磁気ディスクに磁石が取り付けられる。そして、この磁石は、筐体の外部、すなわち、磁気ディスクカートリッジが装着される機器等に配置されて給電されることになるコイルと共にスピンドルモータを構成可能である。
【０００７】
このように、この磁気ディスクカートリッジでは、スピンドルモータが筐体を介して電磁気的に構成されるので、磁気ディスクの駆動のために、カートリッジの筐体に開口部を設ける必要がなくなる。従って、そのような開口部からの塵埃等の混入がなくなることから、磁気ディスクカートリッジの性能を安定化させることができる。また、磁気ディスクカートリッジの装着部となる機器等に対して、単一のスピンドルモータを配置する必要がなくなるので、カートリッジの装着部自体もシンプルかつコンパクトに構成可能となる。更に、磁気ディスクに磁石を取り付けてスピンドルモータの一部として機能させることにより、それを収容する筐体の厚さを薄くすることができると共に、磁気ディスクカートリッジ（筐体）の構造がシンプルになる。従って、カートリッジの低コスト化を図ることができる。そして、この磁気ディスクカートリッジでは、磁石や磁気ディスクの磁気記録層といった磁性体を除けば、ほとんどの構成部品の透磁率を１に近づけることができる。従って、適宜ヨーク等を配置して磁界同士の干渉を防止することにより、良好な読取／書込性能を保つと共に、磁気ディスクを安定して回転させることが可能となる。
【０００８】
また、本発明では、情報の読取／書込性能を向上・安定化させる上で、磁気ディスクに対する情報の読取／書込を行う磁気ヘッド、および、磁気ヘッドを支持するヘッドアームも磁気ディスクカートリッジの筐体内に収容される。そして、本発明者らは、スピンドルモータの場合と同様の観点のもと磁気ヘッドを駆動するためのボイスコイルモータに着目し、ボイスコイルモータを磁気的に分割することとした。この場合、ボイスコイルは、磁気ヘッドの動作の安定性に鑑みて、ヘッドアームに取り付けられ、外部から給電される。一方、磁界を発生する磁極およびヨークは、ボイスコイルを介して互いに対向し合う２つのパーツに分割される。２分割された磁極およびヨークのうち、第１の磁極および第１のヨークが、ボイスコイルの一方の側（例えば上側）に位置するように配置される。これにより、磁気ディスクカートリッジのボイスコイル、第１の磁極および第１のヨークは、筐体の外部、すなわち、磁気ディスクカートリッジが装着される機器側にボイスコイルの他方の側に位置するように配置されることになる第２の磁極および第２のヨークと共にボイスコイルモータを構成する。
【０００９】
このように、ボイスコイルモータが筐体を介して電磁気的に構成されると、磁気ヘッドの駆動のために、カートリッジの筐体に開口部を設ける必要がなくなる。従って、そのような開口部からの塵埃等の混入がなくなるので、塵埃等に起因する磁気ヘッドの破損等を確実に防止することができる。また、磁気ディスクカートリッジの装着部となる機器等に対して、単一のボイスコイルモータを配置する必要がなくなるので、カートリッジの装着部自体もシンプルかつコンパクトに構成可能となる。更に、磁気ディスクカートリッジ（筐体）の構造も複雑化させる必要はないので、カートリッジの低コスト化を図ることができる。そして、この磁気ディスクカートリッジでは、磁石や磁気ディスクの磁気記録層といった磁性体を除けば、ほとんどの構成部品の透磁率を１に近づけることができる。従って、適宜ヨーク等を配置して磁界同士の干渉を防止することにより、良好な読取／書込性能を保つと共に、磁気ヘッドを安定して動作させることが可能となる。
【００１０】
上述の磁気ディスク、磁気ヘッド、ヘッドアーム、ボイスコイル、第１の磁極および第１のヨークは、筐体の内部に実質的に密閉されると好ましい。これにより、筐体内に混入した塵埃等に起因して磁気ヘッド等が破損することをほぼ完全に防止することが可能となるので、磁気ディスクカートリッジの性能を安定化させることができる。ここで、「実質的に密閉」とは、磁気ディスク等の構成部品が筐体内に完全に密閉されている場合と、筐体の一部に設けられたフィルタ等を介して、筐体の外部と内部とが連通している場合との双方を意味する。
【００１１】
また、筐体には、磁気ヘッドに対する読取信号および書込信号、ならびに、ボイスコイルに対する電流制御信号を伝送するための複数の端子が備えられていると好ましい。すなわち、本発明による磁気ディスクカートリッジでは、磁気ディスクカートリッジが対象となる装着部に装着された際に、スピンドルモータやボイスコイルモータが筐体を介して電磁気的に構成されるので、その作動のためには、磁気ディスクカートリッジの筐体から、各種信号を伝送するための端子のみを外部に露出させておくだけでよい。
【００１２】
更に、磁気ディスクは、一方の面の全体に磁気記録層を有する一方、その他方の面の中心に回転軸となるボス部を有すると共に他方の面に磁石が固定されており、ボス部は、筐体内でベアリングによって支持されると好ましい。このような構成を採用すれば、磁気記録のための十分な領域を確保しつつ、磁気ディスクカートリッジ（筐体）をより一層コンパクト化することが可能となり、その構造をよりシンプルなものにすることができる。
【００１３】
上述の磁気ディスクカートリッジについては、磁気ディスクに取り付けられている磁石と対応するように配置されたコイルと、ヘッドアームに取り付けられているボイスコイルと対応するように配置された第２磁極および第２ヨークとを備える装着部を用意すると好ましい。また、この装着部には、磁気ヘッドに対する読取／書込制御を行うと共に、コイルおよびボイスコイルに対する電流制御を行う制御手段を備えておくことが好ましい。
【００１４】
本発明の他の形態も、筐体の内部に回転自在に配置された磁気ディスクを有する磁気ディスクカートリッジに係るものである。この磁気ディスクカートリッジは、磁気ディスクに対する情報の読取／書込を行う磁気ヘッドと、磁気ヘッドを支持するヘッドアームと、ヘッドアームに取り付けられたボイスコイルと、ボイスコイルの一方の側に位置するように配置された第１の磁極および第１のヨークとを備える。ボイスコイル、第１の磁極および第１のヨークは、筐体の外部にボイスコイルの他方の側に位置するように配置されることになる第２の磁極および第２のヨークと共にボイスコイルモータを構成可能である。
【００１５】
本発明の更に他の形態は、磁気ディスクカートリッジと、この磁気ディスクカートリッジを装着することができる装着部とを含む磁気ディスク装置に係るものである。磁気ディスクカートリッジは、筐体の内部に回転自在に配置された磁気ディスクを有する。この磁気ディスクには、磁石が取り付けられる。一方、装着部には、磁気ディスクカートリッジ側の磁石と対応するようにコイルが配置されている。そして、磁気ディスクカートリッジが装着部に装着された際に、磁気ディスクカートリッジ側の磁石、および、装着部のコイルは、スピンドルモータを構成する。
【００１６】
本発明の他の形態は、筐体の内部に回転自在に配置された磁気ディスクを有する磁気ディスクカートリッジと、この磁気ディスクカートリッジを装着することができる装着部とを含む磁気ディスク装置に係るものである。磁気ディスクカートリッジには、磁気ディスクに対する情報の読取／書込を行う磁気ヘッドと、磁気ヘッドを支持するヘッドアームと、ヘッドアームに取り付けられたボイスコイルと、ボイスコイルの一方の側に位置するように配置された第１の磁極および第１のヨークとが備えられる。一方、装着部には、第２の磁極および第２のヨークが備えられる。磁気ディスクカートリッジが装着部に装着された際に、磁気ディスクカートリッジ側の第１の磁極、第１のヨーク、および、ボイスコイル、ならびに、装着部側の第２の磁極および第２のヨークは、ボイスコイルモータを構成する。
【００１７】
【発明の実施の形態】
以下、図面と共に本発明による磁気ディスクカートリッジ、その装着部、および、磁気ディスク装置の好適な実施形態について詳細に説明する。
【００１８】
図１は、本発明による磁気ディスク装置を模式的に示す部分断面図である。同図に示す磁気ディスク装置１は、図２に示す磁気ディスクカートリッジ１０と図３に示す装着部３０とを含むものである。磁気ディスクカートリッジ１０は、比較的薄い方形状の筐体１１と、筐体１１の内部に配置された各種情報を記録可能な磁気ディスク２とを有しており、いわゆるリムーバブルハードディスクとして利用可能なものである。すなわち、図１に示されるように、磁気ディスクカートリッジ１０が装着部３０に装着され、所定の動作が行われると、磁気ディスクカートリッジ１０と装着部３０とは、磁気ディスク装置１として機能する。
【００１９】
なお、説明を簡単にするために、図１や図３等において、装着部３０は、磁気ディスクカートリッジ１０とほぼ同形状（方形状）に構成されたものとして示されているが、これに限られるものではない。すなわち、装着部３０は、各種ＡＶ機器、家電機器、パーソナルコンピュータ等に組み込まれ得る。また、装着部３０は、磁気ディスクカートリッジ１０を装着／離脱させることが可能な、いわゆる外付ドライブユニットとして構成されてもよい。
【００２０】
図４に示されるように、磁気ディスクカートリッジ１０に含まれる磁気ディスク２は、プラスチック等の樹脂や、ガラス等からなる円盤状の基板３を含む。この基板３の表面（図２における上面）３ａの全体には、各種情報を記録させるための磁気記録層４が形成されている。磁気記録層４は、ＴｉＷ下地、Ｒｕ中間層、ＣｏＣｒＰｔ（ＳｉＯ２）磁性層、ＣＶＤカーボン層を基板３の表面３ａに成膜した後、スピンコータによって潤滑層を塗布することにより形成される。
【００２１】
一方、基板３の裏面（図２における下面）３ｂの中心には、ボス部５が磁気記録層４とは反対側に突出するように形成されている。また、ボス部５の周囲には、環状の凹部６が形成されており、この凹部６内には、図１および図２に示されるように、ボス部５を支持するベアリング７が装着される。ベアリング７は、例えば流体軸受等であり、筐体１１の内側底面に固定される。これにより、ボス部５は、磁気ディスク２の回転軸としての役割を果たすことになる。また、ボス部５の周囲に凹部６を形成しておくことにより、筐体１１内部における磁気ディスク２の実装高さを抑制することが可能となり、それにより、磁気ディスクカートリッジ１０の厚さを抑制することができる。ベアリング７は、磁気ディスク２を筐体１１の内部に組み込む前に、凹部６に取り付けておいてもよい。
【００２２】
また、基板３には、Ｃｏ−Ｓｍ等からなる永久磁石８が固定（埋設）されている。永久磁石８の一方の表面は、基板３の裏面３ｂと面一になっており、外部に露出している。また、基板３の内部には、永久磁石８と接するようにヨーク９が埋設されており、ヨーク９と基板３の表面（上面）３ａとの間に間隔が保たれている。これにより、永久磁石８による磁気記録層４への磁気的な影響が防止される。このような磁気ディスク２の基板３は、樹脂等を用いた射出成形により一体に形成され、この射出成形時に、永久磁石８およびヨーク９は、基板３に一体に固定されることになる。ここで、射出成形時に、基板３の表面３ａに凹部を形成すると共に、磁気記録層４の磁気記録領域と凹部とで極性を変えることにより、サーボ情報を予め磁気ディスク２に書き込んでおくと好ましい。これにより、磁気ディスクカートリッジ１０の製造工程数を減らすことが可能となり、その製造コストを抑制することができる。
【００２３】
このように構成された磁気ディスク２を採用すれば、磁気記録のための十分な領域を確保しつつ、磁気ディスクカートリッジ１０（筐体１１）をより一層コンパクト化することが可能となる。また、磁気ディスクカートリッジ１０の構造をよりシンプルなものにすることができる。
【００２４】
図２に示されるように、磁気ディスクカートリッジ１０の筐体１１の内部には、情報の読取／書込性能を向上・安定化させるために、磁気ディスク２の磁気記録層４に対する情報の読取／書込を行う磁気ヘッド（スライダ）１２、および、その先端に磁気ヘッド１２を支持するヘッドアーム（サスペンション）１４が配置されている。ヘッドアーム１４は、図５に示されるように、中途に回転軸１４ａを有し、この回転軸１４ａは、筐体１１の内側底面に配置されたベアリング１５（図２参照）に支持されている。これにより、磁気ヘッド１２は、回転軸１４ａを中心に磁気ディスク２に対して回動自在となる。更に、筐体１１内の磁気ディスク２の側方には、ディスク回転停止時に、磁気ヘッド１２を待避させるためのランプ１６が配置されている。
【００２５】
また、図２および図５に示されるように、ヘッドアーム１４の回転軸１４ａを挟んで磁気ヘッド１２と反対側に位置する端部には、ボイスコイル１７が取り付けられている。そして、筐体１１の内部には、略アーチ状の平面形状を有する第１磁極１８および第１ヨーク１９が配置されている。第１磁極１８は、ボイスコイル１７と所定の間隔を隔てた状態で筐体１１の内部に固定されており、図２において、第１磁極１８はボイスコイル１７の上方に位置する。第１ヨーク１９は、第１磁極１８を挟んでボイスコイル１７の反対側に位置するように筐体１１の内部に固定されている。更に、例えばヘッドアーム１４には、磁気ヘッド１２に接続されたヘッドアンプ用ＩＣ２０（図８参照）が取り付けられている。
【００２６】
筐体１１の底部には、上述の磁気ヘッド１２に対する読取信号および書込信号、ならびに、ボイスコイル１７に対する電流制御信号を伝送するための複数の端子２１が備えられている。図６に示されるように、磁気ディスクカートリッジ１０では、筐体１１から、各種信号を伝送するための端子２１のみが外部に露出されており、磁気ディスク２、磁気ヘッド１２、ヘッドアーム１４、ボイスコイル１７、第１磁極１８および第１ヨーク１９は、筐体１１の内部に完全に密閉されている。これにより、筐体１１内に混入した塵埃等に起因して磁気ヘッド１２等が破損することをほぼ完全に防止することが可能となるので、磁気ディスクカートリッジ１０の性能を安定化させることができる。なお、本実施形態では、磁気ディスク２等が筐体１１内に完全に密閉されているが、これに限られるものではない。すなわち、筐体１１の上面に、磁気ディスク２やヘッドアーム１４の回動範囲から外れるようにフィルタを設けて、筐体１１の外部と内部とを連通させてもよい。
【００２７】
一方、上述の磁気ディスクカートリッジ１０が装着される装着部３０は、筐体３１を有している。上述のように、筐体３１は、装着部３０が組み込まれる機器側の筐体と一体化されていてもよく、磁気ディスクカートリッジ１０を装着／離脱させることが可能な、いわゆる外付ドライブユニット用の筐体として構成されていてもよい。
【００２８】
この筐体３１には、図１および図３に示されるように、磁気ディスクカートリッジ１０側の磁気ディスク２に取り付けられている永久磁石８と対応するようにスピンドルモータコイル（界磁コイル）３２が備えられている。スピンドルモータコイル３２の表面（上面）は、図７に示されているように、筐体３１の上面と面一になっており、外部に露出されている。また、筐体３１内には、磁気ディスクカートリッジ１０側の第１磁極１８および第１ヨーク１９と対応するように、第１磁極１８と反対の極性を有する第２磁極３３および第２ヨーク３４が備えられている。第２磁極３３の表面（上面）も、図７に示されているように、筐体３１の上面と面一になっており、外部に露出されている。第２ヨーク３４は、第１磁極１８の底側（図３における下側）に固定されている。
【００２９】
図８に示されるように、装着部３０の筐体３１内には、磁気ディスクカートリッジ１０の磁気ディスク２に対する情報の読取／書込を制御するための制御部４０が収容されている。制御部４０は、マイクロプロセッサ等からなるＣＰＵを有しており、各種演算処理を行う。この制御部４０には、読取信号を出力する再生部４１、書込信号を出力する記録部４２、および、ボイスコイル制御用の電流信号を出力するサーボ信号処理部４４が接続されている。更に、制御部４０には、スピンドルモータ制御部４５が接続されている。スピンドルモータ制御部４５は、上述のスピンドルモータコイル３２に接続されており、コイル３２に対する電流信号を出力する。加えて、制御部４０には、装着部３０が組み込まれる機器または装着部３０が接続される他の機器等との間で各種信号を受け渡しするための入出力インターフェース４６が接続されている。これらの制御用回路群を装着部３０側に配置することにより、磁気ディスクカートリッジ１０の部品点数を少なくすることができる。
【００３０】
そして、装着部３０の筐体３１には、磁気ディスクカートリッジ１０側の端子２１と接続可能な端子３５が複数配設されている。各端子３５は、図７に示されるように、筐体３１の表面から露出している。複数の端子３５は、再生信号用、記録信号用、および、ボイルコイル制御用の３グループに分けられており、各グループの端子に対して、再生部４１、記録部４２、および、サーボ信号処理部４４が接続されている。
【００３１】
次に、上述の磁気ディスクカートリッジ１０および装着部３０からなる磁気ディスク装置１の動作について説明する。
【００３２】
磁気ディスクカートリッジ１０を装着部３０と共に磁気ディスク装置１として用いる場合、まず、磁気ディスクカートリッジ１０を装着部３０に対して装着する。この場合、磁気ディスクカートリッジ１０および装着部３０には、適切な連結手段が備えられており、当該連結手段により、磁気ディスクカートリッジ１０は、装着部３０に正確に固定される。磁気ディスクカートリッジ１０が装着部３０に位置決めされると、磁気ディスク２に取り付けられている永久磁石８は、図１に示されるように、筐体１１の底部を介して、装着部３０のスピンドルモータコイル３２と対向する。これにより、磁気ディスク装置１に、磁気ディスク２を回転駆動するためのスピンドルモータが構成されることになる。
【００３３】
すなわち、一般に磁気ディスク２を回転駆動するために用いられるスピンドルモータは、電磁気的に動作するものであることから、磁石とコイルとに磁気的に分割されても、他の磁性体による影響がなければ、何ら問題無く安定して作動する。このような点に鑑みて、本発明による磁気ディスク装置１では、筐体１１内の磁気ディスク２に永久磁石８が取り付けられる一方、装着部３０側にコイル３２が取り付けられる。
【００３４】
同様に、磁気ディスクカートリッジ１０が装着部３０に位置決めされると、磁気ディスクカートリッジ１０のヘッドアーム１４に取り付けられているボイスコイル１７は、筐体１１の底部を介して、装着部３０側の第２磁極３３と対向する。これにより、第１ヨーク１９および第１磁極１８と、第２磁極３３と第２ヨーク３４との間に、ボイスコイル１７が位置する状態となる。これにより、磁気ディスク装置１に、磁気ヘッド１２を磁気ディスク２に対してロード／アンロードさせるためのボイスコイルモータが構成されることになる。
【００３５】
すなわち、ボイスコイルモータも、スピンドルモータと同様に、電磁気的に動作するものであることから、磁石とコイルとに磁気的に分割されても、他の磁性体による影響がなければ、何ら問題無く安定して作動する。このような点に鑑みて、本発明による磁気ディスク装置１では、磁界を発生する磁極およびヨークは、ボイスコイルを介して互いに対向し合う２つのパーツに分割され、２分割された磁極およびヨークのうち、第１磁極１８および第１ヨーク１９が、ボイスコイル１７の上方に位置するように磁気ディスクカートリッジ１０の筐体１１の内部配置される。また、磁気ヘッド１２の動作の安定性に鑑みて、ボイスコイル１７がヘッドアーム１４に取り付けられる。そして、２分割された磁極およびヨークのうち、第２磁極３３および第２ヨーク３４が装着部３０側に設けられる。
【００３６】
更に、磁気ディスクカートリッジ１０が装着部３０に位置決めされると、磁気ディスクカートリッジ１０の各端子２１は、装着部３０側の対応する端子３５と当接する。これにより、磁気ディスクカートリッジ１０と装着部３０とが電気的に接続され、磁気ヘッド１２と装着部３０との間で、ヘッドアンプ用ＩＣ２０を介して、読取信号および書込信号の伝送が可能となると共に、ボイスコイル１７に制御用の電流信号の供給が可能となる。
【００３７】
磁気ディスクカートリッジ１０が装着部３０に位置決めされ、装着部３０側の制御部４０に所定の動作指示信号が与えられると、スピンドルモータコイル制御部４５からスピンドルモータコイル３２に所定の電流信号が供給される。これにより、磁気ディスクカートリッジ１０の筐体１１内で磁気ディスク２が回転することになる。磁気ディスク２の回転速度が安定した段階で、所定の動作指示信号に従い、制御部４０は、磁気ディスク２に対する情報の読取／書込を開始する。この場合、サーボ信号処理部４４から端子２１，３５を介して、磁気ディスクカートリッジ１０側のボイスコイル１７に所定の電流信号が供給される。これにより、磁気ヘッド１２は、磁気ディスク２の磁気記録層４上にロードされる。制御部４０は、磁気ディスク２から読み取ったサーボ情報に基づいて、サーボ信号処理部４４を制御し、これにより、所望の情報の読取／書込が行われる。
【００３８】
このように、磁気ディスクカートリッジ１０と装着部３０とから構成される磁気ディスク装置１では、スピンドルモータが磁気ディスク装置１の筐体１１を介して電磁気的に構成されるので、磁気ディスク２の回転駆動のために、カートリッジ１０の筐体１１に開口部を設ける必要がなくなる。従って、そのような開口部からの塵埃等の混入がなくなることから、磁気ディスク装置１の性能を安定化させることができる。また、磁気ディスク装置１の装着部３０（装着部３０が組み込まれる機器）に対して、単一のスピンドルモータを配置する必要がなくなるので、装着部３０の構成自体もシンプルかつコンパクトに構成可能となる。更に、磁気ディスク２に永久磁石８を取り付けてスピンドルモータの一部として機能させることにより、それを収容する筐体１１の厚さを薄くすることができると共に、磁気ディスクカートリッジ１０（筐体１１）の構造がシンプルになる。従って、カートリッジ１０の低コスト化を図ることができる。
【００３９】
同様に、磁気ディスク装置１では、ボイスコイルモータも筐体１１を介して電磁気的に構成されるので、磁気ヘッド１２の駆動のために、カートリッジ１０の筐体１１に開口部を設ける必要がなくなる。従って、そのような開口部からの塵埃等の混入がなくなるので、塵埃等に起因する磁気ヘッド１２の破損等を確実に防止することができる。また、磁気ディスクカートリッジ１０の装着部３０（装着部３０が組み込まれる機器）に対して、単一のボイスコイルモータを配置する必要がなくなるので、装着部３０の構成自体もより一層シンプルかつコンパクトに構成可能となり、磁気ディスクカートリッジ１０（筐体１１）の構造も簡略化することができる。
【００４０】
そして、磁気ディスクカートリッジ１０や装着部３０では、永久磁石８や磁気ディスク２の磁気記録層４といった磁性体を除けば、ほとんどの構成部品の透磁率を１に近づけることができる。従って、適宜ヨーク９，１９，３４等を配置して磁界同士の干渉を防止することにより、良好な読取／書込性能を保ちつつ、磁気ディスク２を安定して回転させると共に、磁気ヘッド１２を安定してロード／アンロードさせることが可能となる。
【００４１】
【発明の効果】
以上説明されたように、本発明によれば、スピンドルモータおよびボイスコイルモータのうち、少なくとも何れか一方が磁気的に分割され、スピンドルモータを構成する磁石やボイスコイルモータを構成するボイスコイル、第１の磁極および第１のヨークが磁気ディスクカートリッジ側に設けられる一方、スピンドルモータを構成するコイルやボイスコイルモータを構成する第２の磁極および第２のヨークが装着部側に設けられる。これにより、シンプルかつコンパクトに低コストで構成可能であると共に、安定した性能を発揮し得る磁気ディスクカートリッジ、その装着部、および、磁気ディスク装置の実現が可能となる。
【図面の簡単な説明】
【図１】本発明による磁気ディスク装置を示す部分断面図である。
【図２】図１の磁気ディスク装置を構成する磁気ディスクカートリッジを示す部分断面図である。
【図３】図１の磁気ディスク装置を構成する装着部を示す断面図である。
【図４】図２の磁気ディスクカートリッジに含まれている磁気ディスクを示す断面図である。
【図５】図２の磁気ディスクカートリッジを平面的に示す部分断面図である。
【図６】図２の磁気ディスクカートリッジを下面側から見た斜視図である。
【図７】図３の装着部を上面側から見た斜視図である。
【図８】図１の磁気ディスク装置のブロック構成図である。
【符号の説明】
１  磁気ディスク装置
２  磁気ディスク
３  基板
４  磁気記録層
８  磁石
９  ヨーク
１０  磁気ディスクカートリッジ
１１  筐体
１２  磁気ヘッド
１４  ヘッドアーム
１７  ボイスコイル
１８  第１磁極
１９  第１ヨーク
２１，３５  端子
３０  装着部
３１  筐体
３２  スピンドルモータコイル
３３  磁極
３４  ヨーク
３５  端子
４０  制御部
４１  再生部
４２  記録部
４４  サーボ信号処理部
４５  スピンドルモータ制御部
【図１】
0004192466.tif 000002
【図２】
0004192466.tif 000003
【図３】
0004192466.tif 000004
【図４】
0004192466.tif 000005
【図５】
0004192466.tif 000006
【図６】
0004192466.tif 000007
【図７】
0004192466.tif 000008
【図８】
0004192466.tif 000009